(57)【特許請求の範囲】
【請求項１】
ハンドルと、駆動ヘッドと、結合具と、を含むスパナにおいて、
前記ハンドルは、一端に枢着部が設けられており、前記枢着部は互いにほぼ平行しているアームを有し、
前記駆動ヘッドは、駆動具と、枢着部と、を有し、前記枢着部には切り欠が開設されており、前記切り欠に前記ハンドルの枢着部が係合されており、
前記結合具は、前記二つのアームの間に設けられており、前記駆動ヘッドの枢着部の切り欠が前記結合具に直接に係合することができ、
前記結合具の表面には環状溝が設けられており、前記駆動ヘッドの切り欠の内縁には弾性係止具を収容可能な内溝が設けられており、前記切り欠の両側には前記弾性係止具を押付け可能な固定ブロックが設けられていることを特徴とする、スパナ。
【請求項２】
前記駆動ヘッドと前記ハンドルの枢着部が互いに補う形状をしており、そして両者が互いに嵌合可能であることを特徴とする、請求項１に記載のスパナ。
【請求項３】
前記二つのアームの間にある内壁面には穴が貫通されており、前記穴の内部には押付具が設けられており、前記押付具は、押付ブロックと、バネと、を含むことを特徴とする、請求項１に記載のスパナ。
【請求項４】
前記駆動ヘッドの枢着部の端部は、円弧形状を呈し、その表面に歯部が若干に設けられていることを特徴とする、請求項１に記載のスパナ。
【請求項５】
ハンドルと、駆動ヘッドと、結合具と、を含むスパナにおいて、
前記ハンドルは、一端に枢着部が設けられており、前記枢着部は互いにほぼ平行しているアームを有し、
前記駆動ヘッドは、駆動具と、枢着部と、を有し、前記枢着部には切り欠が開設されており、前記切り欠に前記ハンドルの枢着部が係合されており、
前記結合具は、前記二つのアームの間に設けられており、前記駆動ヘッドの枢着部の切り欠が前記結合具に直接に係合することができ、
前記駆動ヘッドの枢着部の端部には係止具を収容可能な穴が開設されており、前記係止具は、前記結合具を係止するためのものであり、スチール玉と、バネと、プラグと、を含むことを特徴とする、スパナ。
【請求項６】
前記駆動ヘッドの枢着部の切り欠の傾斜角度は変化可能であることを特徴とする、請求項１に記載のスパナ。
【請求項７】
ハンドルと、駆動ヘッドと、結合具と、を含むスパナにおいて、
前記ハンドルは、一端に枢着部が設けられており、前記枢着部は二つのアームを有し、前記二つのアームには切り欠が設けられており、
前記駆動ヘッドは、駆動具と、枢着部と、を有し、
前記結合具は、前記駆動ヘッドの枢着部に設けられており、前記二つのアームに設けられた切り欠に直接に係合可能であり、
前記二つのアームの背面に開設された溝にはスイッチが設けられており、前記スイッチにはボタンが設けられており、前記二つのアームに開設された穴には係合ピンがそれぞれ入れられており、前記ボタンが前記係合ピンと連動可能にするように、前記係合ピンの一端が前記ボタンに係られていることを特徴とする、スパナ。
【請求項８】
前記駆動ヘッドと前記ハンドルの枢着部が互いに補う形状をしており、そして両者が互いに嵌合可能であることを特徴とする、請求項７に記載のスパナ。
【請求項９】
前記結合具の周面にはエンボスが設けられていることを特徴とする、請求項７に記載のスパナ。
【請求項１０】
前記二つのアームの間にある内壁面には穴が貫通されており、前記穴の内部には押付具が設けられており、前記押付具は、押付ブロックと、バネと、を含むことを特徴とする、請求項７に記載のスパナ。
【請求項１１】
前記駆動ヘッドの枢着部の端部は、円弧形状を呈し、その表面に歯部が若干に設けられていることを特徴とする、請求項７に記載のスパナ。
【請求項１２】
前記駆動ヘッドの枢着部の切り欠の傾斜角度は変化可能であることを特徴とする、請求項７に記載のスパナ。
【発明の詳細な説明】
【技術分野】
【０００１】
本発明は、手工具に係り、特に、駆動ヘッドを快速に交換可能なスパナに関するものである。
【背景技術】
【０００２】
従来、駆動ヘッドを交換可能なスパナとしては、例えば、台湾特許Ｍ２８４４８６号に記載のものがあり、それは、駆動ヘッドの一端から延びている連接部に係止具を設け、スパナ本体に設けられた嵌接部に嵌接穴を開設することにより、スパナ本体に開設された嵌接穴に連接部が嵌め込まれ、そして係止具が付勢されて位置決め穴から突出して連接部と嵌接穴が結合するようになり、しかし、このようなスパナは、駆動ヘッドを快速に交換することができるが、駆動ヘッドの角度を調整することができなく、且つスパナ本体に嵌接穴を開設することが必要であるので、全体の体積が大きくなり、嵌接穴によって生産コストも増加する。
【特許文献１】台湾特許Ｍ２８４４８６号公報
【発明の開示】
【発明が解決しようとする課題】
【０００３】
本発明の主な目的は、駆動ヘッドの切り欠をハンドルの結合具に直接に係合することにより、組立作業が容易になり、係合状況を外部から確認することができ、且つ係止具によって結合具を固定することにより、駆動ヘッドを快速に交換することができ、駆動ヘッドとハンドルの固定が更に確実になるスパナを提供することにある。
【０００４】
本発明の次の目的は、駆動ヘッドが結合具を軸心として上下に自在に旋回することにより、駆動ヘッドの角度を自在に調整することができ、且つ押付ブロックが凸型枢着部の円弧面に設けられた歯部に係合されることにより、旋回された駆動ヘッドを確実に固定することができるスパナを提供することにある。
【課題を解決するための手段】
【０００５】
本発明の請求項１に記載のスパナによると、ハンドルと、駆動ヘッドと、結合具と、を含むスパナにおいて、前記ハンドルは、一端に枢着部が設けられており、前記枢着部は互いにほぼ平行しているアームを有し、前記駆動ヘッドは、駆動具と、枢着部と、を有し、前記枢着部には切り欠が開設されており、前記切り欠に前記ハンドルの枢着部が係合されており、前記結合具は、前記二つのアームの間に設けられており、前記駆動ヘッドの枢着部の切り欠が前記結合具に直接に係合することができ、前記結合具の表面には環状溝が設けられており、前記駆動ヘッドの切り欠の内縁には弾性係止具を収容可能な内溝が設けられており、前記切り欠の両側には前記弾性係止具を押付け可能な固定ブロックが設けられていることを特徴とするスパナである。
【０００６】
本発明の請求項２に記載のスパナによると、前記駆動ヘッドと前記ハンドルの枢着部が互いに補う形状をしており、そして両者が互いに嵌合可能である。
【０００７】
本発明の請求項３に記載のスパナによると、前記二つのアームの間にある内壁面には穴が貫通されており、前記穴の内部には押付具が設けられており、前記押付具は、押付ブロックと、バネと、を含む。
【０００８】
本発明の請求項４に記載のスパナによると、前記駆動ヘッドの枢着部の端部は、円弧形状を呈し、その表面に歯部が若干に設けられている。
【０００９】
本発明の請求項５に記載のスパナによると、ハンドルと、駆動ヘッドと、結合具と、を含むスパナにおいて、前記ハンドルは、一端に枢着部が設けられており、前記枢着部は互いにほぼ平行しているアームを有し、前記駆動ヘッドは、駆動具と、枢着部と、を有し、前記枢着部には切り欠が開設されており、前記切り欠に前記ハンドルの枢着部が係合されており、前記結合具は、前記二つのアームの間に設けられており、前記駆動ヘッドの枢着部の切り欠が前記結合具に直接に係合することができ、前記駆動ヘッドの枢着部の端部には係止具を収容可能な穴が開設されており、前記係止具は、前記結合具を係止するためのものであり、スチール玉と、バネと、プラグと、を含むことを特徴とするスパナである。
【００１０】
本発明の請求項６に記載のスパナによると、前記駆動ヘッドの枢着部の切り欠の傾斜角度は変化可能である。
【００１１】
本発明の請求項７に記載のスパナによると、ハンドルと、駆動ヘッドと、結合具と、を含むスパナにおいて、前記ハンドルは、一端に枢着部が設けられており、前記枢着部は二つのアームを有し、前記二つのアームには切り欠が設けられており、前記駆動ヘッドは、駆動具と、枢着部と、を有し、前記結合具は、前記駆動ヘッドの枢着部に設けられており、前記二つのアームに設けられた切り欠に直接に係合可能であり、前記二つのアームの背面に開設された溝にはスイッチが設けられており、前記スイッチにはボタンが設けられており、前記二つのアームに開設された穴には係合ピンがそれぞれ入れられており、前記ボタンが前記係合ピンと連動可能にするように、前記係合ピンの一端が前記ボタンに係られていることを特徴とするスパナである。
【００１２】
本発明の請求項８に記載のスパナによると、前記駆動ヘッドと前記ハンドルの枢着部が互いに補う形状をしており、そして両者が互いに嵌合可能である。
【００１３】
本発明の請求項９に記載のスパナによると、前記結合具の周面にはエンボスが設けられている。
【００１４】
本発明の請求項１０に記載のスパナによると、前記二つのアームの間にある内壁面には穴が貫通されており、前記穴の内部には押付具が設けられており、前記押付具は、押付ブロックと、バネと、を含む。
【００１５】
本発明の請求項１１に記載のスパナによると、前記駆動ヘッドの枢着部の端部は、円弧形状を呈し、その表面に歯部が若干に設けられている。
【００１６】
本発明の請求項１２に記載のスパナによると、前記駆動ヘッドの枢着部の切り欠の傾斜角度は変化可能である。
【発明の効果】
【００１７】
本発明のスパナによれば、次のような効果がある。
（１）駆動ヘッドの切り欠をハンドルの結合具に直接に係合することにより、組立作業が容易になり、係合状況を外部から確認することができ、且つ係止具によって結合具を固定することにより、駆動ヘッドを快速に交換することができ、駆動ヘッドとハンドルの固定が更に確実になる。
【００１８】
（２）駆動ヘッドが結合具を軸心として上下に自在に旋回することにより、駆動ヘッドの角度を自在に調整することができ、且つ押付ブロックが凸型枢着部の円弧面に設けられた歯部に係合されることにより、旋回された駆動ヘッドを確実に固定することができる。
【発明を実施するための最良の形態】
【００１９】
以下、本発明の実施の形態を図面に基づいて説明する。
【実施例１】
【００２０】
まず、図１Ａ、１Ｂ及び図２Ａ、２Ｂを参照する。本発明に係るスパナ１は、同図に示すように、駆動ヘッド１０と、ハンドル２０と、結合具３０と、から構成され、前記ハンドル２０は、一端に凹型枢着部２１が設けられており、前記凹型枢着部２１の左右にあるアーム２２は互いにほぼ平行しており、二つのアーム２２に貫設されたサイド穴２２１には結合具３０が収容されており、二つのアーム２２の間にある内壁面には第一穴２３が貫通されており、第一穴２３の内部には押付具４０が設けられており、押付具４０は、バネ４１と、押付ブロック４２と、を含み、また、駆動ヘッド１０は、一端に駆動具１１が設けられており、他端に凸型枢着部１２が設けられており、凸型枢着部１２は凹型枢着部２１の二つのアームの間に嵌め込まれることができ、且つ凸型枢着部１２の側辺にはＵ字形を呈する切り欠１２１が貫設されており、切り欠１２１が結合具３０と係合可能であり、凸型枢着部１２の端面は円弧面を呈し、この円弧面に歯部１２２が若干に設けられており、前記端面のやや下に貫設された第二穴１２３が切り欠１２１と連通しており、第二穴１２３には係止具５０が収容されており、係止具５０は、スチール玉５１と、バネ５２と、プラグ５３と、を含み、また、係止具５０が切り欠１２１の内面に開設された第二穴１２３から脱落することを防止するために、図２Ａに示すように、第二穴１２３と切り欠１２１の連接箇所には押付部１２４を増設してもよい。
【００２１】
次に、本発明のスパナ１の組立方法を説明する。まず、第二穴１２３に、スチール玉５１と、バネ５２と、プラグ５３と、を順次に入れて、第一穴２３に、バネ４１と、押付ブロック４２と、を順次に入れてリベットによって押付具４０を固定して、二つのアーム２２のサイド穴２２１に結合具３０を貫入して、凹型枢着部２１に凸型枢着部１２を嵌め込むと同時に、切り欠１２１に結合具３０を嵌め込み、このとき、スチール玉５１が結合具３０に押されて第二穴１２３のプラグ５３に近接する側に押付けられ、なお、結合具３０を切り欠１２１の底部に押付けているときに、スチール玉５１は、結合具３０に押されなくなり、バネ５２の弾力に付勢されて第二穴１２３の切り欠に近接する側に押付けられ、これにより、スチール玉５１が結合具３０に係止されて固定されるようになり、一方、第一穴２３内に設けられる押付ブロック４２がバネ４１に押されて、押付ブロック４２の先端を凸型枢着部１２の歯部１２２に押付け、そうすると、図３に示すスパナが組立てられた。上記の構成によれば、駆動ヘッド１０が結合具３０を軸心として上下に自在に旋回することにより、図４に示すように、駆動ヘッド１０の角度を自在に調整することができ、また、駆動ヘッド１０を交換したい場合には、ユーザは、切り欠１２１の開口へハンドル２０に力を加えて、駆動ヘッド１０に上記と逆方向の力を加えると、結合具３０がスチール玉５１に押付けられなくなり、駆動ヘッド１０をハンドル２０から取り外すことができ、このとき、図５に示すように、ハンドル２０にさまざまな駆動具１１を快速に係合することができる。
【００２２】
以下、実施例２乃至実施例６のスパナの構成の大分が実施例１と同様であるので、相違する箇所だけについて説明する。
【実施例２】
【００２３】
図６Ａ、６Ｂに示すのは実施例２に係るスパナであり、実施例２と別の実施例の相違する点は、切り欠１２１の内面に第二穴１２３が開設されており、第二穴１２３に対向する側には第三穴Ａ１が開設されており、且つ係止部１２４は、第二穴１２３の代りに、第三穴Ａ１の開口（図７Ｂ参照）に設けられ、第三穴Ａ１の開口が一つだけあるので、プラグ５３を設けることが必要なくなり、図７Ａに示すように、第三穴Ａ１に、バネ５２と、スチール玉５１と、を順次に入れてリベットによって固定すると、スチール玉５１が離脱できなくなる。
【実施例３】
【００２４】
図８に示すのは実施例３に係るスパナであり、実施例３と別の実施例の相違する点は、切り欠１２１の中央の内面には、弾性係止具Ｂ２を収容する内溝Ｂ１が開設されており、弾性係止具Ｂ２は、中央に湾折されており、両端が一定角度に湾折されており、切り欠１２１の形状が弾性係止具Ｂ２に合せて変更され、しかし、図９に示すように、弾性係止具Ｂ２が切り欠１２１から脱落することを防止するために、切り欠１２１の両側には内側に延びている固定ブロックＢ３が設けられている。図１０に示すように、弾性係止具Ｂ２の両端が切り欠１２１に寄っている。
【００２５】
図８に示すように、結合具３０の適当箇所では環状溝Ｂ４が設けられており、切り欠１２１に結合具３０を入れると、図１１及び図１２に示すように、環状溝Ｂ４により弾性係止具Ｂ２の二つの湾折点が外側に張られ、なお、切り欠１２１の底部に結合具３０を入れると、弾性係止具Ｂ２の二つの湾折点が本来の状態に戻り結合具３０を係止し、そうすると、前記二つの湾折点によって結合具３０を固定することができ、係止具５０及び第二穴１２３を設けることが必要なくなり、図１３に示すのは組立てられたスパナである。
【実施例４】
【００２６】
図１４に示すのは実施例４に係るスパナであり、実施例４と別の実施例の相違する点は、切り欠１２１が二つのアーム２２に設けられており、凸型枢着部の側面には結合具３０を挿入可能な貫通孔Ｃ１が開設されており、凹型枢着部２１の左右のアーム２２のやや下には、切り欠１２１と連通している第四穴Ｃ２が開設されており、第四穴Ｃ２に対向する他方の切り欠１２１には第五穴Ｃ３が貫設されており、第五穴Ｃ３にはバネ５２及びスチール玉５１が収容されており、これは図６Ａにおける第三穴Ａ１と同様であり、第五穴Ｃ３の切り欠１２１に隣接する一端には係止部１２４（図示せず）が設けられており、これにより、スチール玉５１が離脱できなくなり、次に、駆動ヘッド１０に設けられた結合具３０の凸型枢着部１２に近接する両側の適当な箇所ではエンボスＣ４が設けられており、このようなスパナは、図１５乃至図１７、又は図１８に示すように、駆動ヘッド１０を快速に交換することができる。
【実施例５】
【００２７】
図１９及び図２０に示すのは実施例５に係るスパナであり、実施例５と実施例４の相違する点は、切り欠１２１が傾斜しており、そうすると、両手がハンドルと駆動ヘッドをそれぞれ握っているときには、腕が撓まないと両手がある傾斜角度を成し、これにより、駆動ヘッド１０とハンドル２０の脱着が更に容易になり、スチール玉５１の結合具３０に押付ける範囲が増加し、駆動ヘッド１０とハンドル２０の係合が更に確実になる（実施例５は別の実施例に適用することもできる）。
【実施例６】
【００２８】
図２１に示すのは実施例６に係るスパナであり、実施例６と別の実施例の相違する点は、スイッチＥが増設されており、スイッチＥは、スチール玉５１の代りに係合ピンＥ１が設けられており、係合ピンＥ１の一端には係り溝Ｅ１１が開設されており、凹型枢着部２１の左右のアーム２２の背面に浅い溝Ｅ２が開設されており、浅い溝Ｅ２にカバーＥ３を入れることができ、また、浅い溝Ｅ２内には深い溝Ｅ４が開設されており、深い溝Ｅ４の底部は第五穴Ｃ３及び第一穴２３と連通しており、カバーＥ３に設けられた切り欠にはボタンＥ５を貫入することができ、ボタンＥ５の下にはガイド片Ｅ５１が延びており、ガイド片Ｅ５１の底部の中央には押付具４０を通過可能な切り欠が開設されており、また、ガイド片Ｅ５１の両側辺が係り溝Ｅ１１に入れられており、そうすると、ハンドル２０に駆動ヘッド１０を組付けたいときには、図２２及び図２３に示すように、スイッチＥのボタンＥ５を後ろに押え、ガイド片Ｅ５１が係合ピンＥ１を後ろに移動させて、ハンドル２０に駆動ヘッド１０を装入した後、ボタンＥ５を放すと、バネ５２が係合ピンＥ１を押えて結合具３０に押付けるようになり、なお、別の駆動ヘッド１０と交換したいときには、ボタンＥ５を再び後ろに押えると、本来の駆動ヘッド１０を取り外すことができる。
【図面の簡単な説明】
【００２９】
【図１Ａ】本発明の実施例１の分解斜視図
【図１Ｂ】本発明の実施例１に係る駆動ヘッドの一部の拡大図
【図２Ａ】本発明の実施例１の断面図
【図２Ｂ】本発明の実施例１に係る第一穴の一部の拡大図
【図３】本発明の実施例１の外観図
【図４】本発明の実施例１の別の断面図であって、駆動ヘッドの回動を示す。
【図５】本発明の実施例１に別の駆動ヘッドが組み付けられた状態の外観図
【図６Ａ】本発明の実施例２の分解斜視図
【図６Ｂ】本発明の実施例２に係る駆動ヘッドの一部の拡大図
【図７Ａ】本発明の実施例２の断面図
【図７Ｂ】本発明の実施例２に係る第三穴の一部の拡大図
【図８】本発明の実施例３の分解斜視図
【図９】本発明の実施例３に固定ブロックが設けられていない状態の断面図
【図１０】本発明の実施例３に固定ブロックが設けられている状態の断面図
【図１１】本発明の実施例３に係る結合具を切り欠に入れている状態の断面図
【図１２】本発明の実施例３に係る結合具を切り欠に入れた状態の断面図
【図１３】本発明の実施例３の外観図
【図１４】本発明の実施例４の分解斜視図
【図１５】本発明の実施例４の外観図
【図１６】本発明の実施例４の断面図
【図１７】本発明の実施例４の別の断面図
【図１８】本発明の実施例４に別の駆動ヘッドが組み付けられた状態の外観図
【図１９】本発明の実施例５の断面図
【図２０】本発明の実施例５の組合せ状態の断面図
【図２１】本発明の実施例６の分解斜視図
【図２２】本発明の実施例６に係る駆動ヘッドが係合ピンに接触してロックされた状態の断面図
【図２３】本発明の実施例６に係る駆動ヘッドが係合ピンから離脱してロックされた状態の断面図
【符号の説明】
【００３０】
１：スパナ、１０：駆動ヘッド、１１：駆動具、１２：凸型枢着部、２０：ハンドル、２１：凹型枢着部、２２：両アーム、２３：第一穴、３０：結合具、４０：押付具、４１：バネ、４２：押付ブロック、５０：係止具、５１：スチール玉、５２：バネ、５３：プラグ、１２１：切り欠、１２２：歯部、１２３：第二穴、１２４：押付部、２２１：サイド穴、Ａ１：第三穴、Ｂ１：内溝、Ｂ２：弾性係止具、Ｂ３：固定ブロック、Ｂ４：環状溝、Ｃ１：貫通孔、Ｃ２：第四穴、Ｃ３：第五穴、Ｃ４：エンボス、Ｅ：スイッチ、Ｅ１：係合ピン、Ｅ２：浅い溝、Ｅ３：カバー、Ｅ４：深い溝、Ｅ５：ボタン、Ｅ１１：係り溝、Ｅ５１：ガイド片。
【図１Ａ】
0004834697.tif 000002
【図１Ｂ】
0004834697.tif 000003
【図２Ａ】
0004834697.tif 000004
【図２Ｂ】
0004834697.tif 000005
【図３】
0004834697.tif 000006
【図４】
0004834697.tif 000007
【図５】
0004834697.tif 000008
【図６Ａ】
0004834697.tif 000009
【図６Ｂ】
0004834697.tif 000010
【図７Ａ】
0004834697.tif 000011
【図７Ｂ】
0004834697.tif 000012
【図８】
0004834697.tif 000013
【図９】
0004834697.tif 000014
【図１０】
0004834697.tif 000015
【図１１】
0004834697.tif 000016
【図１２】
0004834697.tif 000017
【図１３】
0004834697.tif 000018
【図１４】
0004834697.tif 000019
【図１５】
0004834697.tif 000020
【図１６】
0004834697.tif 000021
【図１７】
0004834697.tif 000022
【図１８】
0004834697.tif 000023
【図１９】
0004834697.tif 000024
【図２０】
0004834697.tif 000025
【図２１】
0004834697.tif 000026
【図２２】
0004834697.tif 000027
【図２３】
0004834697.tif 000028